(57)【要約】【課題】  棒針や鈎針で毛糸を編むことは熟練を要するので、初心者には簡単に始めることはできない。一方、指編みやそれに準ずる方法は、簡単であるが、作業性に問題がある上に、作品幅に制限がある。【解決手段】先端が二又に分かれた棒の更に先端に、二又の間を回転できるコマを取り付けた。更にそのコマには、毛糸引き上用と、毛糸押し下げ用の２つの爪を取り付け、編み具部品とした。また、この編み具部品を複数本、ほぼ等間隔に並行に並べ、コマと反対側のを固定片で固定し、一体となった毛糸編み具とした。【選択図】図１
2005314855.tif 000002
【特許請求の範囲】
【請求項１】
棒の先端が二又に分れ、その二又の更に先端部に、棒と直角に回転軸が取り付けられ、かつ、その回転軸には、軸を中心に棒の二又の間を回転して動くことができるコマが取り付けられており、更にそのコマには相互に向きおよび回転軸からの距離が異なる２つの爪が付いた状態の毛糸編み具部品。
【請求項２】
特許請求項１の編み具部品が、複数個同じ向きに相互に平行で、かつ、ほぼ等間隔に並べられ、それらの、コマと反対側の端部が固定片で固定された状態の毛糸編み具。
【請求項３】
許請求項１の編み具部品において、コマと反対側の部分が、３本の平行棒で構成された、編み具部品。
【請求項４】
特許請求項３の編み具部品を、着脱可能な状態で、２枚重ねした固定片を挟むようにして、複数個並行でほぼ等間隔に取り付けた状態の毛糸編み具。
【発明の詳細な説明】
【技術分野】
【０００１】  本発明は、毛糸を編むときに用いる、編み具とその部品に関するものである。
【背景技術】
【０００２】  毛糸を編む場合、通常棒針や鈎針が用いられる。しかし、これらの針を用いる方法は、編み方を覚え、かつ、編み慣れるための練習を要するので、経験のない人には簡単に編み始めることはできない。【０００３】  一方、簡単な方法として、指編みやこれに準ずる方法がある。【０００４】  指編みの具体例を図２〜図７を用いて以下に示す。【０００５】  指編みの第１の工程では、図２のように、毛糸１は親指２に端末を止められた後、他の指にジグザグに配置され、端部の小指４を一周してスタートの位置（人差し指３）にジグザグに戻される。この時点で、表裏に毛糸が巻きつけられたことになる。【０００６】  第２の工程では、続きの毛糸１ｂは図３のように、手の片面のみに配置される。【０００７】  第３の工程では、上記状態の、各指にからんでいる方（古い方）の毛糸１ａが図４〜図６のように、後から配置された新しい毛糸１ｂを超えて、指の反対側に運ばれる。【０００８】  この動作を親指以外のすべての指について行うと、最初の毛糸１ａはすべて指の裏側に移動し、新しい毛糸１ｂのみが表に残される。【０００９】  この状態で、更に次の糸１ｃを指の表に配置し、親指の止め糸を取り除いたのが図７である。【００１０】  以降はこの第２・３の工程を繰り返していくと、手の裏側にはメリヤス状に編まれた毛糸が蓄積されていく。
【発明の開示】
【発明が解決しようとする課題】
【００１１】  かかる方法で毛糸を編む場合、手順は簡単なので、初心者には受け入れられやすいが、その反面、毛糸を指の表面から摘み出し、それを引き伸ばして指の先端を越して裏側へ移動させるのに、糸がつまみ難くかつ伸び難いので、作業性に問題がある。また、指の本数に限りがあるので、広幅の作品は作れない。【００１２】  指の代わりに、図８に示すように、牛乳パック５のような厚紙に、切り込みを加えて用いる方法もあるが、指代わりのパック片６は曲げ難く頻繁に曲げると折れてしまう。又毛糸が滑り落ちてしまうこともある。【００１３】  この他にリリアン編み器もあるが、リリアンの場合も、糸を細い釘から外し難い上に、目数に制限がある。
【課題を解決するための手段】
【００１４】  本発明は、かかる欠点を排除するために、指に相当する棒の先端を二又に分け、その二又の更に先端に、二又の間を回転できる、毛糸引き上げ用の爪と毛糸押さえ用の２つの爪の付いたコマを取り付けることにより、編み物の経験のない人でも、従来の棒針や鈎針を用いずに、容易に毛糸を編むことができる編み具とそれを構成する編み具部品を提供するものである。
【実施例】
【００１５】  本発明の実施例を図を用いて説明する。【００１６】  図９は本発明による編み具部品の一例である。図において７は本発明による編み具部品、８はその先端に回転できるように取り付けられたコマ、９は毛糸引き上げ用爪、１０は毛糸押さえ用爪である。【００１７】  図１０は本発明による編み具の一例で図９の編み具部品が固着型固定板１１に多数平行に固定されている。【００１８】  図１１は図１０の編み具の各部品の表裏に、指編みの時と同様に、毛糸１ｄ、１ｅをジグザグに巻きつけた後，更に続きの毛糸１ｆを編み具の表に配置した状態を示す。【００１９】  つぎの工程は、各編み具部品の表面にある１ｄの毛糸を１ｆの毛糸を飛び越して、それぞれの部品の裏側へ回す動作であるが、ここで、二つの爪９，１０を有したコマ８が重要な役目を果たす。【００２０】  図１２（ａ）〜（ｇ）は編み具部品の先端部の側面図を用いて、コマの働きの詳細を示したものである。
図１２（ａ）ではコマをまだ動かしておらず、毛糸１ｄ，１ｆはそれぞれの位置に張られたままの状態にある。【００２１】  図１２（ｂ）ではコマを時計回りに回転させ、毛糸押え用爪１０で毛糸１ｆを編み具の表面のくぼみの先端側の角で捕らえた状態を示す。【００２２】  コマを更に回転させていくと、毛糸１ｆは図１２（ｃ），（ｄ）に示すように毛糸押さえ用爪１０により、編み具部品の二又の間に押し下げられる。一方毛糸引き上げ用爪９は、毛糸１ｄに達する。【００２３】  更にコマを回転させると、図１２（ｅ）に示すように、毛糸１ｆは一層押し下げられるとともに、毛糸１ｄは毛糸引き上げ用爪の反対側に移動する。【００２４】  次に、今度はコマ８を逆方向に回転させていくと、図１２（ｆ），（ｇ）に示すように、毛糸１ｆは開放されるとともに、毛糸１ｄは編み具部品の裏側に送られ、毛糸が１目編まれる。【００２５】  この動作をすべての編み具部品について行い、更に一連の動作を繰り返していくと、毛糸が次第に編まれていく。【００２６】  このようにして基本的なメリヤス編みが可能となったが、以上に示した例では、各編み具部品は、固着型固定片に固着されているために、編み作業を行っている途中で、固定片からはずすことは出来ない。したがって、縄編みのように毛糸を交叉させるような編み方は出来ない。【００２７】  図１３は上記欠点を解決するための、着脱可能な編み具部品の例である。編み具部品のコマと反対側の後半部が３本の平行棒１２ａ，ｂ，ｃで構成されており、この部分で、図１４に示す着脱式固定板１４を挟むことにより、固定版への着脱が可能となる。【００２８】  図１３で、センター棒１２ａの先端と付け根とにそれぞれ突起１３ａ，１３ｂが付加してあるが、これは図１４の着脱式固定板に付加した凹凸との組み合わせにより、各編み具をクリックストップ式に着脱可能な状態で装着できるようにするためである。【００２９】  図１４の着脱式固定板は１枚で使用されるタイプであるが、この改良型として、２枚重ね、で用いる方法がある。２枚重ね、で用いると、２枚の板を横方向にずらせるので、広幅対応（目数増加）が無限に可能となる。図１はその代表的な例で、それに毛糸を掛けて編んでいく状態を示している。
【発明の効果】
【００３０】  本発明の毛糸編み具部品とそれを固定板に装着した編み具を用いると、初心者でも、棒針や鈎針を用いずに容易に毛糸を編むことが出来る。
【００３１】  また、編み具部品のコマと反対側の後端に３本の平行棒を取り付けることにより、固定板への着脱が容易にできるので、縄編みのような飾り編みも可能となる。
【００３２】  更に、着脱式固定板を２枚重ねにして、かつ、ずらして使用することにより、広幅対応（目数増加）も可能となる。
【００３３】  なお、２枚重ねの着脱式固定板は、図１５のように板の中央部を例えば１２０度の角度をなすように曲げたものを用いることも可能で、これをずらして重ねることにより、図１６の断面の模式図のように、リング状の編み物を編むこともできる。
【００３４】図１７−ａ，ｂは２種類のコマの例で、コマの引き上げ用爪の先端と押さえ用爪の付け根の為す角度１７ａと１７ｂが相互に異なる。二つの爪の開きの大きいコマを用いると、毛糸のたるみを大きくすることもでき、太い糸やゆったりした編み上げへの対応も可能となる。
【図面の簡単な説明】
【図１】  本発明による毛糸編み具部品とそれを２枚重ね固定板に装着した、広幅対応の毛糸編み具の一例を示す。
【図２】  従来の指編みの手順の一例で、毛糸を各指の表裏にジグザグに掛けたところを示す。
【図３】  図２の指編みの続きで、図２の後、更に続きの毛糸を手の前面に配置した状態を示す。
【図４】  図３の指編みの続きで、図３の後に、人差し指に掛けた最初の毛糸を摘み上げるたところを示す。
【図５】  図４の指編みの続きで、図４の後に、摘み上げた毛糸を人差し指の裏側へ移動させるところを示す。
【図６】  図５の指編みの続きで、中指に掛けた毛糸も裏側へ移動させるところを示す。
【図７】  図６の指編みの続きで、すべての指の最初に掛けられた糸を裏側へ移動させた後、続きの毛糸を手の前面に配置したところを示す。
【図８】  牛乳パックを用いた指編み代替の例を示す。
【図９】  本発明による毛糸編み具部品の一例を示す。
【図１０】  本発明による毛糸編み具の一例で、図９の編み具部品が固着型固定板に取り付けられたところを示す。
【図１１】  図１０の毛糸編み具に、毛糸を巻きつけていく状態を示す。
2005314855.tif 000003
【図１３】  本発明による着脱可能な編み具部品の一例を示す。
【図１４】  着脱式固定板の一例を示す。
【図１５】  板の中央部を１２０度の角度をなすように曲げた、２枚重ね用固定板。
【図１６】  図１５に示す中央部を曲げた２枚重ね用固定版と平坦な固定版を組み合わせてできた、リング状固定板の断面模式図を示す。
【図１７（ａ）（ｂ）】  コマ。（ａ）（ｂ）において、それぞれ２つの爪と回転軸の為す角度が異なる例。
【符号の説明】
１      毛糸
１ａ    指編みで最初にジグザグに各指にかけられた毛糸
１ｂ    １ａに続いて手の平の片側に配置された毛糸
１ｃ    １ｂに続いて手の平の片側に配置された毛糸
１ｄ    本発明による毛糸編み具部品にジグザグに配置された表面側の毛糸
１ｅ    本発明による毛糸編み具部品にジグザグに配置された裏面側の毛糸
１ｆ    本発明による毛糸編み具部品各表面に配置された毛糸
２      親指
３      人差し指
４      小指
５      牛乳パック
６      指代わりのパック片
７      編み具部品
８      コマ
９      毛糸引き上げ用爪
１０    毛糸押さえ用爪
１１    固着型固定板
１２ａ  平行棒
１２ｂ  平行棒
１２ｃ  平行棒
１３ａ  突起
１３ｂ  突起
１４    着脱式固定板
１５    ２枚重ね用屈曲固定板
１６    ２枚重ね用平面固定板
１７ａ  コマの引き上げ用爪先端と押さえ用爪付け根の開き角度
１７ｂ  コマの引き上げ用爪先端と押さえ用爪付け根の開き角度
【図１】
2005314855.tif 000004
【図２】
2005314855.tif 000005
【図３】
2005314855.tif 000006
【図４】
2005314855.tif 000007
【図５】
2005314855.tif 000008
【図６】
2005314855.tif 000009
【図７】
2005314855.tif 000010
【図８】
2005314855.tif 000011
【図９】
2005314855.tif 000012
【図１０】
2005314855.tif 000013
【図１１】
2005314855.tif 000014
【図１２】
2005314855.tif 000015
【図１３】
2005314855.tif 000016
【図１４】
2005314855.tif 000017
【図１５】
2005314855.tif 000018
【図１６】
2005314855.tif 000019
【図１７】
2005314855.tif 000020